(57)【要約】【課題】医用画像の検像に際して行われてきたこれまでの修正を全体的に把握することができる技術を提供する。【解決手段】医用画像及び当該医用画像に付帯する付帯情報を修正すると、前記修正に関する修正情報を修正履歴データベースに蓄積する。履歴データベースをもとに、蓄積された修正情報を所定の情報項目毎に集計し、さらには集計結果に基づき集表又はグラフ形式に加工する。【選択図】図３
2007236603.tif 000002
【特許請求の範囲】
【請求項１】
画像診断装置が撮影した医用画像及び当該医用画像に付帯する付帯情報を検像する検像装置であって、
前記医用画像又は前記付帯情報を修正する修正部と、
前記修正に関する修正情報を情報項目毎に蓄積する修正履歴データベースと、
を備えること、
を特徴とする検像装置。
【請求項２】
前記修正情報は、修正した付帯情報の種別情報、修正値情報、画質調整情報、修正日時情報、修正者情報、医用画像の画像診断装置種別情報、又は医用画像の画像診断装置機種名情報の何れか一以上の情報項目を少なくとも含むこと、
を特徴とする請求項１記載の検像装置。
【請求項３】
前記修正履歴データベースをもとに前記蓄積された修正情報を所定の情報項目毎に集計する集計部をさらに備えること、
を特徴とする請求項２記載の検像装置。
【請求項４】
前記修正情報は、修正者情報の情報項目を少なくとも含み、
前記集計部は、修正者別に前記蓄積された修正情報を集計すること、
を特徴とする請求項３記載の検像装置。
【請求項５】
前記修正情報は、医用画像の画像診断装置種別情報の情報項目を少なくとも含み、
前記集計部は、画像診断装置種別べつに前記蓄積された修正情報を集計すること、
を特徴とする請求項３記載の検像装置。
【請求項６】
前記修正情報は、修正した付帯情報の種別情報の情報項目を少なくとも含み、
前記集計部は、付帯情報の種別べつに前記蓄積された修正情報を集計すること、
を特徴とする請求項３記載の検像装置。
【請求項７】
前記集計部の集計結果に基づき、集計結果を表又はグラフ形式に加工する図示化部をさらに備えること、
を特徴とする請求項３乃至６のいずれか記載の検像装置。
【請求項８】
コンピュータからなり、画像診断装置が撮影した医用画像及び当該医用画像に付帯する付帯情報を表示して検像する検像装置を、
前記医用画像又は前記付帯情報を修正する修正部と、
前記修正に関する修正情報を蓄積する修正履歴データベースと、
して機能させること、
を特徴とするプログラム。
【発明の詳細な説明】
【技術分野】
【０００１】
本発明は、医用画像及び医用画像に付帯する付帯情報を修正する検像装置に関する。
【背景技術】
【０００２】
近年、Ｘ線ＣＴ装置、超音波診断装置、磁気共鳴画像装置、核医学診断装置等の画像診断装置で撮影された医用画像のフィルムレスが進み、医用画像は、モニタに表示されて診断に供するようになってきた。フィルムレス化によって、医用画像をもとに的確な読影、診断、治療をするには、一度の検査で作成した多数の医用画像の順番を並び替えたり、濃度等の画質調整をしたりする医用画像の修正が重要である。
【０００３】
医用画像は、読影時、診断時、治療時と時と場所を変えて何度も閲覧される場合が多い。医用画像は、画像診断装置で撮影された医用画像を蓄積する画像サーバから取得する。画像サーバから取得して閲覧する度に医用画像を修正することは効率的ではないため、医用画像を撮影すると、まず医用画像を検像して、修正済みの医用画像を画像サーバに蓄積する。画像診断装置や画像サーバが接続するネットワークには、医用画像を検像する検像装置が設置され、画像診断装置が医用画像を撮影すると、まず検像装置に送信される。
【０００４】
検像装置では、医用画像及び該医用画像に付帯する付帯情報を表示して、その内容を修正する（例えば、「特許文献１」、「特許文献２」参照。）。付帯情報は、検査技師等がキーボードやマウス等の入力装置を用いて手入力するため、誤入力が発生し易い。また、医用画像の並び替えによって医用画像を識別する属性も変更する必要があるため、医用画像の並び替えに伴って、この付帯情報の修正も必要となる。
【０００５】
医用画像の順番並び替え、画質調整、付帯情報の誤入力等の行為は、極力減らしていくように改善することが望ましい。改善の結果は、検像の労力軽減という結果ももたらす。改善には、これまで行われてきた検像によって、どのような修正が行われたかを全体的に把握し、その修正傾向を知ることが重要である。例えば、どの画像診断装置で順番並び替えや画質調整が多く発生し、どの技師が誤入力を多く発生させているか等の修正傾向がつかめれば、その対策をとりやすい。従って、検像装置で行われてきた修正を全体的に把握できる技術が要望されている。
【０００６】
尚、医用画像が修正されると、その修正内容を修正対象となった医用画像に付帯情報として付帯させる技術は提示されている。この技術によると、修正対象となった医用画像を基準として、その医用画像についての修正傾向をつかむことはできる。しかし、検像装置で行われてきたこれまでの修正内容は、各医用画像とともに飛散してしまうため、行われてきた修正の傾向を全体的に把握することは困難である。
【０００７】
【特許文献１】特開２００４−１６７０８７号公報
【特許文献２】特開２００４−１７１３８６号公報
【発明の開示】
【発明が解決しようとする課題】
【０００８】
本発明は、上記事情に鑑みてなされたものであり、その目的とするところは、医用画像の検像に際して行われてきたこれまでの修正を全体的に把握することができる技術を提供することにある。
【課題を解決するための手段】
【０００９】
上記課題を解決するために、請求項１記載の発明は、画像診断装置が撮影した医用画像及び当該医用画像に付帯する付帯情報を検像する検像装置であって、前記医用画像又は前記付帯情報を修正する修正部と、前記修正に関する修正情報を蓄積する修正履歴データベースと、を備えること、を特徴とする。
【００１０】
また、履歴データベースをもとに前記蓄積された修正情報を所定の情報項目毎に集計する集計部をさらに備えるようにしてもよい（請求項２記載の発明に相当。）
また、集計部の集計結果に基づき、集計結果を表又はグラフ形式に加工する図示化部をさらに備えるようにしてもよい（請求項７記載の発明に相当。）。
【発明の効果】
【００１１】
本発明の検像装置は、医用画像の修正に関する修正情報を修正履歴データベースに蓄積するようにした。又は、この修正履歴データベースをもとに修正情報を集計するようにし、さらには集計結果を図示化するようにした。これにより、検像装置で行われてきたこれまでの修正を全体的に把握できる。これまでの修正を全体的に把握できることで、全体的な修正傾向を容易につかむことができ、医用画像の順番並び替え、画質調整、付帯情報の誤入力等の修正の必要を効果的に低減できる。また、修正の必要を低減することで、検像の負担を軽減することもできる。
【発明を実施するための最良の形態】
【００１２】
以下、本発明に係る検像装置の好適な実施形態について、図面を参照しながら具体的に説明する。
【００１３】
図１は、本実施形態の検像装置が接続されるネットワークを示す図である。図１に示すように、ネットワークＮには、被検体内を撮影して医用画像Ｐを作成する画像診断装置２００と、医用画像Ｐを検像する検像装置１００と、医用画像Ｐを蓄積しておく画像サーバ３００とが接続されている。画像診断装置２００は、Ｘ線ＣＴ装置、Ｘ線診断装置、超音波診断装置、磁気共鳴画像装置、核医学診断装置等である。
【００１４】
検像は、医用画像Ｐ及びこれに付帯する付帯情報Ｉｆの内容を検査し、必要に応じて適正な内容に修正することをいう。医用画像Ｐ及び付帯情報Ｉｆを表示させて操作者が表示内容を検査した後に操作者の入力に応じて修正することの他、検査及び修正を自動的に行うことが含まれる。
【００１５】
ネットワークＮは、病院内ネットワーク若しくは病院を含む病院関連施設間をつなぐ広域ネットワークであり、電子データの伝送が可能な電子通信回線である。例えばネットワークＮには、電話回線網、ＩＳＤＮ、ＦＤＤＩ、専用線、移動体通信網、通信衛星回線、ＣＡＴＶ、ＬＡＮ等、又はこれらの複合が採用される。
【００１６】
このネットワークＮでは、画像診断装置２００は、医用画像Ｐを検像装置１００に送信する。医用画像Ｐには、付帯情報Ｉｆが付帯し、共に検像装置１００に送信する。検像装置１００は、医用画像Ｐ及び付帯情報Ｉｆを表示し、医師や検査技師等の操作者の検像に供し、操作者の操作に応じた修正を施してから、画像サーバ３００に送信する。画像サーバ３００は、受信した医用画像Ｐ及びこれに付帯する付帯情報Ｉｆを蓄積しておく。
【００１７】
検像装置１００による修正は、医用画像Ｐの画質調整、医用画像Ｐに付帯する付帯情報Ｉｆの修正である。付帯情報Ｉｆは、医用画像の属性を示す情報であり、撮影条件の情報、医用画像Ｐを作成した画像診断装置２００の情報、医用画像Ｐの情報主体たる被検体の情報、医用画像Ｐの内容を示す情報等である。医用画像Ｐには、これら各種の付帯情報Ｉｆが付帯する。
【００１８】
検像装置１００は、医用画像Ｐとその付帯情報Ｉｆを表示し、操作者の操作に応じて医用画像Ｐ又は付帯情報Ｉｆを修正する。検像装置１００は、修正に伴い、その修正に関する情報を修正情報Ｉｓとして修正履歴データベースＤｓに蓄積しておく。修正履歴データベースＤｓへの修正情報Ｉｓの蓄積によって、検像装置１００は、ネットワークＮ全体を基準としたこれまでの修正履歴の参照や修正履歴の集計や集計結果の図示化をする。これにより、ネットワークＮ全体におけるこれまでの修正について、統計的な修正傾向を把握できる。
【００１９】
図２は、この検像装置１００のハードウェア構成を示す構成図である。図２に示すように、検像装置１００は、ワークステーション等のコンピュータであり、演算制御部（ＣＰＵ）１０１、外部記憶部（ＨＤＤ）１０２、主記憶部（ＲＡＭ）１０３を備える。
【００２０】
演算制御部１０１の制御の下に、検像のプログラムが記憶された外部記憶部１０２から当該プログラムが適宜読み出され、読み出されたプログラムが主記憶部１０３をワークエリアとして展開される。演算制御部１０１は、展開されたプログラムを解読及び実行することにより演算及び装置の制御を行い、検像機能を実現する。演算制御部１０１の演算結果は、主記憶部１０３に一時的に記憶され、以降に読み出されるプログラムの情報処理の際に利用される。
【００２１】
また、この検像装置１００は、表示部１０４と通信インターフェース１０６とプリンタインターフェース１０７と入力部１０５とを備える。表示部１０４と入力部１０５は、図示しないコントローラを介して接続される。
【００２２】
表示部１０４は、液晶ディスプレイやＣＲＴ等のモニタであり、演算制御部１０１の制御により医用画像Ｐとその付帯情報Ｉｆを表示する。プリンタインターフェース１０７は、演算制御部１０１の制御により、検像装置１００に接続されたプリンタ１１０に画像を出力させる。出力させる画像は、修正履歴データベースＤｓの内容、集計結果、若しくは図示化結果である。
【００２３】
通信インターフェース１０６は、ネットワークＮを介して医用画像Ｐの送受信を行う。受信した医用画像Ｐは、主記憶部１０３若しくは外部記憶部１０２に一時的に記憶される。
【００２４】
入力部１０５は、マウスやキーボード等の入力装置であり、操作者によりコマンドや値等が入力され、このコマンドを演算制御部１０１に出力する。コマンドの入力又は所定処理の終了をトリガとして演算制御部１０１は、コマンド又は終了した処理に応じた次のプログラムを読み出し、次の処理の演算又は制御を行う。
【００２５】
これら演算制御部１０１、主記憶部１０３、外部記憶部１０２、表示部１０４、通信インターフェース１０６、プリンタインターフェース１０７、入力部１０５は、共通線であるバスＢに接続され、相互に信号の入出力が可能となっている。
【００２６】
図３は、この検像装置１００のプログラムの解読及び実行により実現される機能を示す機能ブロック図である。
【００２７】
操作者により検像装置１００が起動されると、操作者が入力部１０５を用いて自身の操作者名を入力し、ログオンする。主記憶部１０３には、ログオンメモリ１１の記憶領域が確保され、主記憶部１０３は、ログオンメモリ１１として機能する。ログオンメモリ１１は、入力部１５を用いて入力された操作者名を記憶する。
【００２８】
検像装置１００の起動後、通信インターフェース１０６が画像診断装置２００から医用画像Ｐを受信すると、主記憶部１０３には、画像メモリ１２の記憶領域が確保され、主記憶部１０３は、画像メモリ１２として機能する。画像メモリ１２は、受信した医用画像Ｐを記憶する。受信した医用画像Ｐに付帯する付帯情報Ｉｆも共に記憶する。
【００２９】
ここで記憶される付帯情報Ｉｆは、ＤＩＣＯＭ規格に準拠し、タグと値で構成される。タグは、データ内部で論理的な要素を区切る記号であり、情報種別を示す。値は、対になったタグが示す情報種別の実体であり、文字又は数値である。
【００３０】
タグが示す情報種別は、撮影条件の情報として、検査ＩＤ、シリーズＩＤ、放射線や超音波や内視鏡等の検査内容、検査日時、検査部位等がある。画像診断装置２００の情報として、Ｘ線ＣＴ装置や超音波診断装置等の撮影した装置の種別、撮影した装置の装置名等がある。被検体に関する情報として、被検体氏名、被検体ＩＤ、年齢、性別等がある。医用画像Ｐの内容を示す情報として、画像ＩＤ、フレーム数、画素数等がある。
【００３１】
操作者が入力部１０５を用いて検像のプログラムを実行させる検像コマンドを入力すると、演算制御部１０１は、修正処理部１４として機能する。
【００３２】
修正処理部１４は、画像メモリ１２から医用画像Ｐ及びこれに付帯する付帯情報Ｉｆを読み出し、表示部１０４に表示させる。医用画像Ｐ及び付帯情報Ｉｆの表示中において、操作者が入力部１０５を用いて、医用画像Ｐの画質調整の入力、又は所定の付帯情報Ｉｆの値を修正する入力を行うと、修正処理部１４は、表示部１０４に、画質を変更して医用画像Ｐを更新表示させ、又は入力された修正値を反映させて付帯情報Ｉｆを更新表示させる。また、主記憶部１０３に修正内容メモリ１５の記憶領域を確保し、主記憶部１０３を修正内容メモリ１５として機能させて修正内容を記憶させる。
【００３３】
図４は、修正内容メモリ１５を示す図である。修正内容メモリ１５は、修正内容として、修正タグ情報Ｔａ、Ｔｂ・・・と修正値情報Ｓａ、Ｓｂ・・・とをそれぞれ関連づけて記憶する。また、修正内容として、画質調整情報Ｉｐを記憶する。修正タグ情報Ｔａ、Ｔｂは、修正対象の情報種別を示すタグであり、修正値情報Ｓａ、Ｓｂ・・・は、入力された修正値である。画像調整情報Ｉｐは、画像調整の内容である。修正内容メモリ１５は、医用画像Ｐ又はこれに付帯する付帯情報Ｉｆの修正の度に、その修正内容を追加して記憶する。
【００３４】
操作者が入力部１０５を用いて修正の確定コマンドを入力すると、修正処理部１４は、実際に医用画像Ｐ及び付帯情報Ｉｆのデータ内容を修正する。修正処理部１４は、修正内容メモリ１５から修正タグ情報Ｔａ及びこれと対になった修正値情報Ｓａを読み出し、修正タグ情報Ｔａに対応するタグで標識される付帯情報Ｉｆの値を修正値情報Ｓａの示す修正値に更新して、画像メモリ１２に記憶させる。同様に、修正内容メモリ１５に記憶される全ての修正内容についてデータ内容の修正を行い、修正内容メモリ１５に記憶された修正タグ情報Ｔｂと修正値情報Ｓｂの修正内容、画像調整情報Ｉｐの調整内容も医用画像Ｐ又はこれに付帯する付帯情報Ｉｆに反映する。
【００３５】
修正処理部１４は、修正処理開始時に図示しないタイマーから現在日時を取得する。主記憶部１０３に日時メモリ１６を確保し、主記憶部１０３を日時メモリ１６として機能させ、現在日時を記憶させる。
【００３６】
修正処理が終了すると、演算制御部１０１は、修正情報取得部１７として機能する。
【００３７】
修正情報取得部１７は、主記憶部１０３に確保された各種メモリ１２、１５、１６から修正情報Ｉｓを取得する。修正情報Ｉｓは、修正に関する情報であり、修正した付帯情報の情報種別を示す修正タグ情報Ｔａ、Ｔｂ・・・、修正値情報Ｓａ、Ｓｂ・・・、画質調整情報Ｉｐ、修正日時情報、修正者情報、画像診断装置２００の装置種別情報、画像診断装置２００の装置名情報等のログインから修正確定までの各種情報である。
【００３８】
修正した付帯情報の情報種別、修正値情報、及び画質調整情報Ｉｐは、修正内容メモリ１５から取得する。修正日時情報については、日時メモリ１６から現在日時を取得する。修正者情報については、ログインメモリ１１からログインした操作者の操作者名を取得する。画像診断装置２００の装置種別情報及び装置名情報については、画像メモリ１２に記憶されている医用画像Ｐに付帯する付帯情報Ｉｆから取得する。
【００３９】
修正情報Ｉｓの取得が終了すると、演算制御部１０１は、修正履歴作成部１８として機能する。
【００４０】
修正履歴作成部１８は、修正情報取得部１７が取得した各種修正情報Ｉｓを情報項目とする修正履歴データベースＤｓを作成して、外部記憶部１０２に記憶させ、当該外部記憶部１０２を修正履歴データベースＤｓとして機能させる。既に修正履歴データベースＤｓが存在する場合は、既に存在する修正履歴データベースＤｓに修正情報Ｉｓを追加する。修正情報Ｉｓが蓄積することにより修正情報Ｉｓの束が修正履歴となり、データベース化によりその履歴を評価・分析容易とする。
【００４１】
図５は、修正履歴作成部１８が作成し記憶させた修正履歴データベースＤｓを示す図である。図５に示すように、修正履歴データベースＤｓは、修正情報Ｉｓを情報項目として検像毎に蓄積する。修正情報Ｉｓの情報項目は、修正者情報、修正日時情報、画像診断装置種別情報、画像診断装置機種名情報、修正した付帯情報の修正タグ情報、修正値情報、画質調整情報等、修正情報Ｉｓの種類に対応している。
【００４２】
この修正履歴データベースＤｓが作成されることによって、検像装置１００で行われてきた各修正を全体的に把握でき、ネットワークＮに参加する全画像診断装置２００を基準とする個別的な修正傾向や、検像装置１００を操作する全操作者を基準とする個別的な修正傾向をつかむことが可能となる。
【００４３】
また、操作者が入力部１０５を用いて集計のプログラムを実行させる集計コマンドを入力すると、演算制御部１０１は、集計部２０として機能する。
【００４４】
集計部２０は、修正履歴データベースＤｓを読み出して、所定の情報項目別に集計する。入力部１５を用いて入力された情報項目毎に集計する。集計結果は、表示部１０４に表示させる。操作者が入力部１０５を用いて紙媒体への出力コマンドを入力すると、プリンタインターフェース１０７を制御して、集計結果をプリンタ１１０へ送信させる。
【００４５】
図６及び図７は、集計部２０が作成した集計結果の一例を示す図である。図６は、修正者別の集計結果を示し、図７は、装置別の集計結果を示す。図６及び図７に示すように、集計は、所定の情報項目を基準として、基準となる情報項目の値毎に、その基準となる情報項目に関連づけられている他の情報項目の値毎の出現数をとる。
【００４６】
例えば、図６に示すように、修正者別の集計結果は、修正者名毎に、その修正者が行ってきた修正内容を示す修正タグ情報をその種類毎にカウントする。また、例えば、図７に示すように、装置別の集計結果では、装置種別毎に、その画像診断装置由来の医用画像に対して行われてきた修正数をカウントする。修正数は、関連づけられた修正タグ情報の種別を考慮しない合計数である。
【００４７】
集計処理後、操作者が入力部１０５を用いて図示化コマンドを入力すると、演算制御部１０１は、図示化部２１として機能する。
【００４８】
図示化部２１は、集計部２０が作成した集計結果を読み出して、表やグラフ等に加工する。この図示化の態様は、操作者が入力部１０５を用いて入力する図示する方法の選択に対応する。作成した図は、表示部１０４に表示させる。操作者が入力部１０５を用いて紙媒体への出力コマンドを入力すると、プリンタインターフェース１０７を制御して、作成した図をプリンタ１１０へ送信させる。
【００４９】
図８及び図９は、図示化部２１が作成した図示化の一例を示す図である。図８は修正者別の集計結果を、図９は装置別の集計結果を図示化したものである。
【００５０】
例えば、図８に示すように、修正者別の集計結果を、横軸に修正者及び修正内容の別をとり、縦軸に対応する修正回数をとって、棒グラフに図示化する。また、例えば図９に示すように、装置別の修正結果を、円を装置別に修正数の比率に応じた面積に分割した円グラフに図示化する。
【００５１】
図１０は、この検像装置１００の修正履歴データベースＤｓを作成するフローチャートである。検像装置１００は、操作者名が入力されてログインされており、主記憶部１０３に操作者名が記憶されている。また、画像診断装置２００から医用画像Ｐを受信して、主記憶部１０３に記憶されている。受信した医用画像Ｐ及びこれに付帯する付帯情報Ｉｆを表示している。
【００５２】
操作者が入力部１０５を用いて修正内容を入力すると（Ｓ０１）、入力された修正内容を主記憶部１０３に記憶する（Ｓ０２）。修正対象を特定して修正値を入力すると、修正対象を識別する修正タグ情報と修正値を主記憶部１０３に記憶する。医用画像Ｐの画質を調整すると、画質調整情報Ｉｐを主記憶部１０３に記憶する。
【００５３】
操作者が修正の確定を入力しない場合は（Ｓ０３，Ｎｏ）、修正内容の入力を受け付けて、順次修正内容を主記憶部１０３に記憶する（Ｓ０１〜Ｓ０２）。
【００５４】
操作者が修正の確定を入力すると（Ｓ０３，Ｙｅｓ）、タイマーから現在日時を取得して主記憶部１０３に記憶する（Ｓ０４）。さらに、主記憶部１０３に記憶されている修正内容を順次読み出して（Ｓ０５）、主記憶部１０３に記憶された医用画像Ｐ又はこれに付帯する付帯情報Ｉｆを順次修正する（Ｓ０６）。読み出した修正内容が、修正タグ情報と修正値の対であれば、主記憶部１０３に記憶された医用画像Ｐの修正タグ情報で識別される付帯情報Ｉｆの値を修正値に修正する。読み出した修正内容が、画質調整情報であれば、主記憶部１０３に記憶された医用画像Ｐの画質を調整する。
【００５５】
修正が終了すると（Ｓ０７，Ｙｅｓ）、主記憶部１０３に記憶されている修正内容と操作者名と修正の確定入力時に取得した日時を取得する（Ｓ０８）。修正内容と操作者名と日時を取得すると、これらを修正情報Ｉｓとして、修正情報Ｉｓを構成する情報項目毎に外部記憶部１０２に記憶された修正履歴データベースＤｓに追加する（Ｓ０９）。
【００５６】
この修正履歴データベースＤｓを加工して、操作者の所望する情報項目の値別に他の情報項目を集計することで、修正傾向の集計結果を表示部１０４に表示し、又はプリンタ１１０で紙媒体に出力する。さらに集計結果を図示化して表示部１０４に表示し、又はプリンタ１１０で紙媒体に出力する。
【００５７】
このような本実施形態に係る検像装置１００の作用を図１１に示す。図１１は、検像装置１００の作用を示す作用図である。検像装置１００は、起動後にログイン入力を求め、操作者により、例えば操作者名「○田×男」が入力される。操作者名「○田×男」は、ログインメモリ１１に記憶される。
【００５８】
検像装置１００は、起動後、医用画像Ｐを受信すると、当該医用画像Ｐを画像メモリ１２に記憶し、医用画像Ｐを表示する。また、医用画像Ｐに付帯する付帯情報Ｉｆを表示する。
【００５９】
例えば、付帯情報Ｉｆとして、患者ＩＤタグ、画像ＩＤタグ、装置種別タグ、及び機種名タグで区切られ、患者ＩＤとして「１０１０」、画像ＩＤとして「０００６」、装置種別として「Ｘ線ＣＴ装置」、機種名として「ＣＴ−０１」の値が付されていると、これらが表示される。
【００６０】
表示中に、操作者が患者ＩＤの修正値「０１０１」及び画像ＩＤの修正値「０００５」が入力されると、この修正値を表示に反映しつつ、修正内容メモリ１５に、修正タグ情報「患者ＩＤタグ」と患者ＩＤの修正値「０１０１」及び修正タグ情報「画像ＩＤタグ」と画像ＩＤの修正値「０００５」を記憶させる。
【００６１】
操作者が修正を確定する入力をおこなうと、タイマーから現在日時「２００６／０１／１０／１５：４０：３２（２００６年１月１０日１５時４０分３２秒）」を取得し、日時メモリ１６に記憶させ、医用画像Ｐに付帯する患者ＩＤタグで標識される値を修正値「０１０１」、画像ＩＤタグで標識される値を修正値「０００５」に書き替える。
【００６２】
書き換えの修正が終了すると、ログインメモリ１１から「○田×男」を取得し、日時メモリ１６から「２００６／０１／１０／１５：４０：３２」を取得し、修正内容メモリ１５から修正タグ情報「患者ＩＤタグ」と患者ＩＤの修正値「０１０１」及び修正タグ情報「画像ＩＤタグ」と画像ＩＤの修正値「画像ＩＤタグ」を取得し、画像メモリ１２から装置種別情報「Ｘ線ＣＴ装置」と機種名「ＣＴ―０１」を取得する。
【００６３】
ここでは、既に修正履歴データベースＤｓが作成されている。この修正履歴データベースＤｓは、例えば、修正者、修正日時、装置種別、機種名、修正タグ、修正値の情報項目で構成されている。
【００６４】
この修正履歴データベースＤｓには、過去に、修正者「○田×男」が、修正日時「２００５／１２／２４／１２：２０：１０」に、機種名「ＣＴ−０１」の装置種別「Ｘ線ＣＴ装置」で撮影された医用画像Ｐについて、「画像ＩＤ」で識別される値を修正値「０００７」に修正したことを示す修正情報Ｉｓが履歴として蓄積されている。
【００６５】
また、修正者「○本×子」が、修正日時「２００６／０１／７／１９：２８：１１」に、機種名「ＭＲ−０１」の装置種別「ＭＲＩ装置（磁気共鳴画像装置）」で撮影された医用画像Ｐについて、「患者名タグ」で識別される値を修正値「△田□太」に修正し、かつ「患者名タグ」で識別される値を修正値「△田□太」に修正したことが履歴として蓄積されている。
【００６６】
検像装置１００は、取得した修正情報Ｉｓである修正者「○田×男」が、修正日時「２００６／０１／１０／１５：４０：３２」に、機種名「ＣＴ―０１」の装置種別「Ｘ線ＣＴ装置」で撮影された医用画像Ｐについて、「患者ＩＤタグ」で識別される値を修正値「０１０１」に修正し、かつ「画像ＩＤタグ」で識別される値を修正値「画像ＩＤタグ」に修正したことを示す修正情報Ｉｓを、この修正履歴データベースＤｓに情報項目別に追加する。
【００６７】
このような修正履歴データベースＤｓを検像装置１００が保持している場合に、操作者が修正者別に集計を行う入力をすると、修正履歴データベースＤｓの各情報項目の値を修正者別に集計して、表示若しくは紙媒体へ出力する。
【００６８】
集計結果には、例えば修正者「○田×男」が過去に患者ＩＤを１回修正し、画像ＩＤを過去に２回修正したこと、修正者「○本×子」が過去に患者名を１回修正し、検査ＩＤを１回修正したこと等が表される。
【００６９】
また、操作者が機種別に集計した結果を円グラフ化する入力をすると、機種名「ＣＴ―０１」のＸ線ＣＴ装置が作成した医用画像Ｐについて過去に２回修正があり、機種名「ＭＲ−０１」のＭＲＩ装置が作成した医用画像Ｐについて過去に１回修正があったことを、全体的な比率として円グラフ化し、表示若しくは紙媒体出力する。
【００７０】
この修正履歴データベースＤｓ、又は集計結果、若しくはグラフや表等の図を参照することより、「○田×男」の入力ミスが他の操作者に比べて多いこと、機種名「ＣＴ―０１」のＸ線ＣＴ装置についての入力ミスが他の画像診断装置２００に比べて多いことが把握できる。
【００７１】
以上のように、本実施形態の検像装置１００では、修正情報Ｉｓを蓄積して修正履歴データベースＤｓを作成するようにした。また、この修正履データベースＤｓをもとに集計し、図示化するようにした。これにより、検像装置１００で行われてきた各修正を全体的に把握できる。各修正を全体的に把握できることで、その修正傾向を容易につかむことができ、医用画像の順番並び替え、画質調整、付帯情報の誤入力等の修正の必要を効果的に低減できる。また、修正の必要を低減することで、検像の負担を軽減することもできる。
【００７２】
尚、本実施形態において、検像装置１００は、コンピュータからなりプログラムの情報処理によって各機能を実現するようにしたが、各機能の専用回路を備えるようにしてもよい。また、集計や図示化の機能は、他の汎用ソフトウェアによって実現してもよく、この場合、修正履歴データベースＤｓを汎用ソフトウェアが利用できるデータ形式で作成することが好適である。
【００７３】
検像装置１００は、本実施形態では、ネットワークＮに独立した装置として備えるようにしたが、病院のネットワーク上における医用画像Ｐが発生し又は通る装置にその装置固有の機能の他に検像装置１００の機能を持たせるようにしてもよく、例えば画像診断装置２００や画像サーバ３００に当該機能を持たせて検像装置１００としてもよい。
【００７４】
また、本実施形態では、検像装置１００において、医用画像Ｐ及び付帯情報Ｉｆを表示させて、操作者が内容の検査を行って修正内容を入力するようにした。その他、医用画像Ｐ及び付帯情報Ｉｆを表示させることなく、所定のルーチンに従って自動的に医用画像Ｐを検像し、修正情報Ｉｓを修正履歴データベースＤｓに蓄積させるようにしてもよい。
【００７５】
自動的に医用画像Ｐを検像する検像装置１００において、修正処理部１４は、予め修正対象の情報とその修正値とを記憶している。修正対象の情報は、タグと値で構成される。
【００７６】
通信インターフェース１０６が医用画像Ｐを受信すると、修正処理部１４は、画像メモリ１２上の医用画像Ｐと予め記憶している修正対象の情報と修正値を読み出す。更に、読み出した修正対象の情報と合致する情報を、医用画像Ｐ及びこれに付帯する付帯情報Ｉｆから検索する。該当する情報を予め記憶している修正値に置き換え、修正内容メモリ１５にその修正内容を記憶させる。修正処理部１４の処理が終了すると、修正情報取得部１７が修正情報Ｉｓを取得し、修正履歴作成部１８が修正履歴データベースＤｓを作成する。
【図面の簡単な説明】
【００７７】
【図１】本実施形態に係る検像装置を含むネットワークの構成図である。
【図２】本実施形態に係る検像装置のハードウェア構成を示すブロック図である。
【図３】本実施形態に係る検像装置の機能構成を示すブロック図である。
【図４】本実施形態に係る検像装置が備える修正内容メモリを示す図である。
【図５】本実施形態に係る検像装置で作成される修正履歴データベースＤｓを示す図である。
【図６】本実施形態に係る検像装置で作成される修正情報の集計結果を示す図であり、修正者情報別の集計結果を示す一例である。
【図７】本実施形態に係る検像装置で作成される修正情報の集計結果を示す図であり、画像診断装置別の集計結果を示す一例である。
【図８】本実施形態に係る検像装置で作成される修正情報の集計結果の図示化を示す図であり、修正者別の集計結果を棒グラフ化した一例である。
【図９】本実施形態に係る検像装置で作成される修正情報の集計結果の図示化を示す図であり、装置別の集計結果を円グラフ化した一例である。
【図１０】本実施形態に係る検像装置の修正履歴データベースＤｓ作成動作を示すフローチャートである。
【図１１】本実施形態に係る検像装置の作用を示す作用図である。
【符号の説明】
【００７８】
１１  ログインメモリ
１２  画像メモリ
１４  修正処理部
１５  修正内容メモリ
１６  日時メモリ
１７  修正情報取得部
１８  修正履歴作成部
２０  集計部
２１  図示化部
１００  検像装置
１０１  演算制御部
１０２  外部記憶部
１０３  主記憶部
１０４  表示部
１０５  入力部
１０６  通信インターフェース
１０７  プリンタインターフェース
１１０  プリンタ
２００  画像診断装置
３００  画像サーバ
Ｂ  バス
Ｎ  ネットワーク
Ｐ  医用画像
Ｉｆ  付帯情報
Ｉｓ  修正情報
Ｄｓ  修正履歴データベース
【図１】
2007236603.tif 000003
【図２】
2007236603.tif 000004
【図３】
2007236603.tif 000005
【図４】
2007236603.tif 000006
【図５】
2007236603.tif 000007
【図６】
2007236603.tif 000008
【図７】
2007236603.tif 000009
【図８】
2007236603.tif 000010
【図９】
2007236603.tif 000011
【図１０】
2007236603.tif 000012
【図１１】
2007236603.tif 000013